Podtech/llm-jp-corpus-v4-ja_patent huggingface dataset:
(57)【要約】【課題】低音再生時に生しやすい、音波を放射する振動板の不安定な低周期振動。【解決手段】音波放射板に、重りを分散して配置することで、中心軸の部分に振動エネルギーの伝搬の緩衝帯が生じさせ、寄生低周期振動の増大を抑制する。【選択図】図２
2010259033.tif 000002
【特許請求の範囲】
【請求項１】
｛音波を放射する振動板｝に｛複数の重り｝が分散されて取り付けられていることを第１の特徴とし、
｛音波を放射する振動板｝に｛複数の重り｝が分散されて取り付けられていると等価になるよう、｛音波を放射する振動板｝の各所が｛材料の厚みを増やした部分｝を有することを第２の特徴とし、
上記｛複数の重り｝もしくは、｛重りに相当する｛材料の厚みを増した部分｝｝が、少なくとも一つの対称軸を中心に、その対称軸を境として、慣性モーメントに関し、対称に配置されていることを第３の特徴とし、
上記、対称軸を境に、一方の｛重りの面｝と、他方の｛重りの面｝が、｛｛互いの動きに自由度を持つように｝、または｛たわむように｝｝、｛音波を放射する振動板の｛材質と形状と厚み｝｝が決定されていることを第４の特徴とし、
上記｛第１もしくは第２｝と｛第３もしくは第４｝の特徴を有する音波放射板。
【発明の詳細な説明】
【用語の定義】
【０００１】請求項を含む全文を通じ、文中の｛｝内の記述は｛｝外の記述に優先する。
【技術分野】
【０００２】スピーカシステムや音響商品の低音再生能力の改善技術。
パッシブラジエータと称する音響放射板
【背景技術】
【０００３】スピーカ構造と振動解析
音響振動系の共振モードと各部の振動モードの解析
スピーカの共振点の振動モードと不安定振動
【発明が解決しようとしている課題】
【０００４】第１に、小形で強力な低音再生能力を持つ音波放射板の設計工程では、難しい課題が数多くある。その一つとして、｛音波を放射する振動板｝の低周波振動を安定させることが重要である。強力な低音の再生に際し、何らかのきっかけで、振動板が目に見えて不安定な寄生振動を始めることは音響設計に携わるものとしては再々経験する現象である。
このような不安定な振動については対策を講じなければならないが、最も安易な方法として低音再生性能を犠牲にする方法が選択されることが多い。特にコスト要求が厳しい場合には、まず、例外なく、低音再生性能が犠牲になる。
【課題を解決するための手段】
【０００５】強力な低周波数の再生時に発生する、音波の放射板の｛再生信号の周波数より低い周波数の寄生振動｝は｛音波の放射板の中心軸を中心にした振り子運動｝として発生する。｛低音再生に必要な重り｝を｛分散させて配置｝し、重りと重りの境目に、柔らかい材質からなる｛振動の干渉帯｝を設ける。この｛振動の干渉帯｝によって、中心軸を境にして、｛一方の重りの動き｝が、｛他方の重りの軸対称の動き｝を助長することが抑制され、超低域の寄生振動を抑制できる。
【０００６】〔図１〕は一般的な音波放射板の図である。
１は音波放射板のフレーム
２は音波放射板
３は｛音波放射板に取り付けられた重り｝もしくは重りのかわりに｛音波放射板の材料を増やした部分｝
４は音波放射板の正常な並行振動の方向を示す。
４ｐと４ｑは、軸  Ａ−Ａ‘  を中心に音波放射板が振子運動した場合、重りと一体の音波放射板が発生する運動の方向を示す。
５は音波放射板の正常な並行振動の方向を示す。
５ｒと５ｓは、軸  Ｂ−Ｂ‘  を中心に音波放射板が振子運動した場合、重りと一体の音波放射板が発生する運動の方向を示す。
ＡとＡ‘は、図中縦軸の中心軸を示す。
ＢとＢ‘は、図中横軸の中心軸を示す。
Ａ−Ａ‘は  ＡとＡ’を結ぶ線の断面図を示す。
Ｂ−Ｂ‘は  ＢとＢ’を結ぶ線の断面図を示す。
【０００７】｛３の重り｝の部分の剛性が高いことから、例えば、Ａ−Ａ‘の軸を中心に、｛Ｂ−Ｂ’断面図の重りの上部｝が左に動くと、｛重りの下部｝は右に動く。
音波放射板はＢ−Ｂ‘断面図では左右に平行に動く必要があり、上記のような回転の動きが発生しないことが望ましい。しかし、実際の動きでは、｛振動板そのものの非対称性｝や｛振動板に作用する力の非対称性｝が原因して、｛４ｐと４ｑ｝に示す｛回転運動｝が発生する。特に振動振幅が大きくなると、振動系の｛材質の物理特性｝の｛非直線性や非対称性｝が増すことによって、何らかの｛回転運動｝が種となって｛振り子振動｝が発生し、増大する。この｛振り子振動｝は、固有振動を持っていて、多くは｛平行振動である｛４あるいは５｝の固有振動｝よりも低い周波数で振動する。そして、｛｛振子振動｝に伴うエネルギー損失｝が、通常は小さいことから、元々の平行振動よりも振幅が大きくなって、平行振動が障害を受け、｛歪みや異常音｝の要因となるばかりでなく｛異常な機械振動｝をも発生する。
Ａ−Ａ‘の軸についても同様、｛振り子振動｝が発生する可能性を持っており、双方の軸で｛振り子振動｝が発生すると、ますます異常な振動モードに入る。
【０００８】〔図２〕は本案発明の一実施例を示す音波放射板の図である。
１は音波放射板のフレーム
２は音波放射板
３ａと３ｂと３ｃと３ｄはそれぞれ｛音波放射板に取り付けられた重り｝もしくは重りのかわりに｛音波放射板の材料を増やした部分｝
４は音波放射板の正常な並行振動の方向を示す。
４ｐと４ｑは、軸  Ａ−Ａ‘  を中心に音波放射板が振子運動した場合、重りと一体の音波放射板が発生する運動の方向を示す。
５は音波放射板の正常な並行振動の方向を示す。
５ｒと５ｓは、軸  Ｂ−Ｂ‘  を中心に音波放射板が振子運動した場合、重りと一体の音波放射板が発生する運動の方向を示す。
【０００９】図１の説明のように、重りが一枚板であれば、その剛性により対称軸を中心に不安定な｛振り子振動｝が発生しやすい。しかし、３ａ、３ｂ、３ｃ、３ｄのそれぞれの重りは中心軸Ａ−Ａ‘、Ｂ−Ｂ’の｛柔らかい材料の部分｝によって仕切られていることから、｛一方の振動｝が対称軸を境に｛他方の振動｝を支配する度合いが低い。
例えば、Ａ−Ａ‘を軸に  ３ａと３ｃの重りがＢ−Ｂ’断面で左方向に回転したとしても。３ｂと３ｄの重りが右方向に回転する度合いは、Ａ−Ａ‘の緩衝帯で和らげられる。
従って、図１で説明の不用な｛寄生振り子振動｝は極めて小さくなる。
Ｂ−Ｂ‘の軸においても同様に往復運動に寄生して発生する｛振り子振動｝の要因は軽減される。
【発明の効果】
【００１０】簡単な方法で音波放射板の対称軸を中心にした寄生振動を抑制する。
【発明を実施するための最良の形態】
【００１１】小形で低音再生能力の優れたスピーカシステム。
小形で低音再生能力に優れたパッシブラジエータ。
【実施例】
【００１２】小形で低音再生能力に優れ低価格の一般のスピーカシステムへの応用。
液晶テレビや乗用車のスピーカシステムへの応用。
【産業上の利用可能性】
【００１３】第１に、｛小形のＡＶ商品や振動に弱いＡＶ商品のスピーカシステム｝の音響設計工程の短縮。
第２に、｛小形のＡＶ商品や振動に弱いＡＶ商品のスピーカシステム｝の品質と性能の向上。
【図面の簡単な説明】
【００１４】
【図１】従来例の説明図
【図２】本案発明の一実施例の説明図
【図１】
2010259033.tif 000003
【図２】
2010259033.tif 000004
(57)【要約】【課題】通常の衣類を干すためのハンガーはアームが下向きになっているため靴類を干すことはできない。また、靴類を干すためのハンガーは、このアームが上向きになっているため衣類を干すことに不向きである。１本のハンガーを使い分けることにより、衣類と長靴などの履物の両方を干すことができれば非常に便利な物となるが、そのためには通常のハンガーのアームの形状を上向きに大きく変化させる必要がある。【解決手段】ハンガーのアームの一部に斜めにカットした回転部（３）を設けることにより、アームを回転させて角度を大きく変化させることにより衣類及び履物を干すことが可能になるハンガーとなるものである。【選択図】図３
2010259684.tif 000002
【特許請求の範囲】
【請求項１】
アームの一部に斜めにカットした回転部を設けて、アームを回転させることにより衣服と靴類を干すことのできる形態にしたハンガー。
【発明の詳細な説明】
【技術分野】
【０００１】
本発明は、形状を変化させることにより衣服及び長靴等を干すことのできるハンガーに関するものである。
【背景技術】
【０００２】
衣服を干すためのハンガーと靴などを干すためのハンガーは、形状が異なるため、通常はそれぞれ別のものを使用している。
【先行技術文献】
【特許文献】
【０００３】
【特許文献１】特開２００９−２８４８４号公報
【特許文献２】特開２００２−２６２９８５号公報
【発明の概要】
【発明が解決しようとする課題】
【０００４】
１本のハンガーで衣服と靴類の両方を干すことができれば便利の良いものとなる。
【０００５】
そのためには、１本のハンガーを衣服用と靴類用に使い分けることのできる形状にする手段が必要である。
【課題を解決するための手段】
【０００６】
ハンガーのアームの一部に斜めに回転する部位を設けることにより、ここを基点に１８０度回転させることによってアームが大きく上向きに変化することになる。
【発明の効果】
【０００７】
回転させて上向きになったアームは、靴や長靴、ブーツ等を干すことのできる形状になる。
【図面の簡単な説明】
【０００８】
【図１】図１は、衣類を干すときのハンガーの形状を示した説明図である。（実施例１）
【図２】図２は、履物を干すときのハンガーの形状を示した説明図である。（実施例２）
【図３】図３は、図１の形状を図２の形状に変化させ、履物を干すときの状況を示した説明図である。（実施例２）
【発明を実施するための形態】
【０００９】
以下、本発明の形態を説明する。
（ア）  ハンガーのアーム（２）に回転部（３）を設ける。
（イ）  回転部（３）は、斜めにカットされており、図１のアームを回転させると大きく上向きになった図２の形態となる。
【実施例１】
【００１０】
図１の実施例は、本発明を衣服を干すときの形態にしている状況である。
【実施例２】
【００１１】
図２の実施例は、図１のアーム（２）に設けた回転部（３）を１８０度回転させて靴や長靴などを干すことのできる形態にしたもので、図３はその実施状況を表わしている。
【符号の説明】
【００１２】
１  フック
２  アーム
３  回転部
４  吊り下げ用フック
５  長靴またはブーツ
【図１】
2010259684.tif 000003
【図２】
2010259684.tif 000004
【図３】
2010259684.tif 000005
(57)【要約】【課題】本発明はシートの端の以前から使用出来なかったもったいない部分も裏表、全面使用出来る様にし、家計の節約、とゴミも軽減したところ。【解決手段】本発明はシートを筒状にし使用する事によってシート全面も裏・表も全体ムダなく使える様にしたところ。【選択図】図１
2010259774.tif 000002
【特許請求の範囲】
【請求項１】
１、今までの一枚使用ではなく、シートを丸い筒状にして二重にしたところ。
【発明の詳細な説明】
【技術分野】
【０００１】本発明は立ったまま楽に床の手入れが出来る掃除用具「クィックルワイパー」「ウェーブ」等のゴミ吸着シートの使用出来なかった端の部分もムダなく使用出来る様に考えたものである。
【背景技術】
【０００２】従来は端のはさまれた部分もムダなく使用出来るシートがなかった。
【発明の概要】
【発明が解決しようとする課題】
【０００３】シートの端が使用出来ないのでずっともったいないと思っていた。
【課題を解決するための手段】
【０００４】立ったまゝ楽に床の手入れが出来る掃除用具のムダなく裏表全面使えるシートを使用することによって経費（家計）の節約につながり、ゴミも減らせエコにもなる。
【発明の効果】
【０００５】裏表全面使用できるシートによって、いつも、もったいないと思っていたはさんで止める端も使用でき、品質よりも値段で決めていた薄い使いにくいシートを何枚も重ねたり、取り換えたりせず結果的に経済的にも、買う回数も減り、ゴミも減りエコにつながる。
【図面の簡単な説明】
【０００６】
【図１】本発明の正面図である。
【図２】本発明の側面図である。
【発明を実施するための形態】
【０００７】以下、本発明の実施の形態について説明する。
（イ）、立ったまま床の手入れが出来る用具「クィックルワイパー」「ウェーブ」等にはさんで止め、汚れたらずらして新しい面で掃除出来る様になっている。
【符号の説明】
【０００８】１．シート本体
【図１】
2010259774.tif 000003
【図２】
2010259774.tif 000004
(57)【要約】      （修正有）【課題】ハサミにおいて安全に便利に使用でき、ハサミによる怪我、不安を回避できる、安全カバ−を付けたまま操作できるハサミを提供する。【解決手段】ハサミの柄の部分からハサミの両刃の先端を超えて、両刃の駆動軸部分をさけて安全カバ−でおおい、両刃の駆動軸付近に安全カバ−の組み立て部を設ける。両刃の柄の付近に、その柄をつかむように形成した取付け部を安全カバ−に設け、両刃の柄をつかむことで安全カバ−をハサミに組みつける。ハサミの両刃の交わる部分に、頭髪、紙、等を挿入するための隙間部を安全カバ−に設けると共に、隙間部の入り口部分を広くＶ字状にして頭髪、紙、等が隙間部に入りやすい構造としたことを特徴とする、ハサミの安全カバ−。【選択図】図１
2010259757.tif 000002
【特許請求の範囲】
【請求項１】
ハサミの柄の部分からハサミの両刃の先端を超えて、両刃の駆動軸部分をさけて安全カバ−でおおい、両刃の駆動軸付近に安全カバ−の組み立て部を形成すると共に、両刃の柄の部分付近にも両刃の柄をつかむように形成した取付け部を設け、両刃の交わる部分に、安全カバ−に頭髪、紙、等を挿入するための隙間部を設け、頭髪、紙、等を隙間部に挿入しやすいように、隙間部の入り口部分を広くＶ字状にした隙間部を有することを特徴とする、ハサミの安全カバ−。
【発明の詳細な説明】
【技術分野】
【０００１】本発明は、主に頭髪、紙、等を切るハサミに関するものである。
【背景技術】
【０００２】従来のハサミは両刃が露出していたり、刃先を丸くしたりしたものがある。
【発明の開示】
【発明が解決しようとする課題】
【０００３】ハサミを使用する人が、自分の指が両刃の間に入っていても気ずかずにハサミを操作して怪我することがある。本発明は、このようなハサミによる怪我を防ぐためのものである。
【課題を解決するための手段】
【０００４】ハサミの柄の部分からハサミの両刃の先端を超えて、両刃の駆動軸部分をさけて安全カバ−でおおい、両刃の交わる部分に、安全カバ−に頭髪、紙、等を挿入するための隙間部を設けると共に、隙間部の入り口部分を広くＶ字状にして頭髪、紙、等が隙間部に挿入しやすい構造としたことを特徴とする、ハサミの安全カバ−。
【発明の効果】
【０００５】安全カバ−の隙間部は狭いので、幼児でも両刃の間に指が入ることはない。又、両刃による怪我の心配がないので頭の後側でも、自分で手探りで頭髪をカットすることができる。隙間部の入り口部分が広くＶ字状なので、頭髪の束でも容易に両刃の間に入ってくる。
【発明を実施するための最良の形態】
【０００６】  以下、本発明の実施の形態について説明する。
ハサミ（１）の柄（４）から両刃（２）の先端を超えて、両刃（２）の駆動軸（３）をさけておおい、両刃（２）の駆動軸（３）付近に組み立て部（８）を設けた安全カバ−（５）に、両刃（２）の柄（４）付近にその柄（４）をつかむように形成した取付け部（９）を設け、両刃（２）の柄（４）をつかむことで安全カバ−（５）をハサミ（１）に組みつける。両刃（２）の交わる部分に、安全カバ−（５）に頭髪、紙、等を挿入するための隙間部（６）を設け、その隙間部（６）に頭髪、紙、等を挿入しやすいように隙間部（６）の入り口部分（７）を広くＶ字状にする。
本発明は以上のような構成で、安全カバ−（５）を付けたまま使用でき、幼児でも安心してハサミ（１）を使用できる。隙間部（６）の入り口部分（７）が広くＶ字状になっているのでカットしたい頭髪の束を入り口部分（７）に挿入してからハサミ（１）を押し込むと、隙間部（６）で頭髪は縦長になって両刃（２）の間に入ってくる。
【図面の簡単な説明】
【０００７】
【図１】    本発明を、ハサミに組みつけて両刃を開いた正面図
【図２】    本発明を、ハサミに組みつけて両刃を閉じた正面図
【符号の説明】
【０００８】    １  ハサミ              ２  刃                      ３  駆動軸
４  柄                  ５  安全カバ−              ６  隙間部
７  入り口部分          ８  安全カバ−組立部        ９  取付け部
【図１】
2010259757.tif 000003
【図２】
2010259757.tif 000004
(57)【要約】【課題】  この発明は、毎日のお弁当作りを楽しくして、使用後の弁当箱を洗う手間と洗剤や水を多く節約する事で、河川の保護も出来る使い捨て弁当箱シートを提供する。【解決手段】  弁当箱の主におかず入れの内敷きシート（４）として一実施例の収納部（１）（２）（３）設け、使い捨てにする事による利便性と毎日の洗浄による、洗剤と水を多く節約する事で河川の汚れと環境保護を目的とする、弁当箱と一体型（５）の使い捨て弁当箱用シート（４）を提供する。【選択図】図１
2010259755.tif 000002
【特許請求の範囲】
【請求項１】
弁当箱のおかず入れの内側に、おかず収納部に合わせて一体形状にした内敷き用シートを設け、前記シートは使い捨てとする弁当箱用シート。
【発明の詳細な説明】
【技術分野】
【０００１】  この発明は家庭の弁当のおかず入れを便利にして使い捨てにする事により、毎日の洗剤と水の使用を大幅に減らし、河川の汚れを防ぐ弁当の使い捨ておかず入れシートに関するものである。
【背景技術】
【０００２】  従来、家庭の弁当のおかず入れは、仕切られている部分の隅々の洗いが、とても多くの手間を要し、洗剤や水が無駄に多く使われていました。
【発明の開示】
【発明が解決しようとする課題】
【０００３】  これは次のような問題点があった。
（イ）弁当のおかずによってはアルミカップなどで仕切る工夫が必要だった。
（ロ）仕切りのあるものはその隅々を毎回洗う手間と、きれいにするために多くの洗剤と水を汚し無駄に使用していた。
本発明は以上のような欠点を解決するためになされたものである。
【課題を解決するための手段】
【０００４】  弁当箱のおかず入れの内側に、おかず収納部に合わせて一体形状にした内敷き用シートを設け、前記シートは使い捨てとする弁当箱用シート。
本発明は以上の構成よりなる、弁当箱用シートである。
【発明の効果】
【０００５】一枚のランチシートに複数のおかずが手早く詰められて、アルミカップを使ったりすること無く、おかずの見栄えもきれいで作り手の意欲も増す。
使い捨てによる便利さと、洗う時の手間や、洗剤、水を多く節約できる事による河川の保護に大きく役立つ等環境に配慮した多大な効果がある発明である。
【発明を実施するための最良の形態】
【０００６】  以下本発明を実施するための最良の形態について説明する。
（イ）おかずに熱があっても詰められる様に、豆腐のケースや和菓子の保護ケースのようで、しかも油や汁物にも対応できる安価で無害な素材を用いる。ランチボックス（５）の形状や深さなど多種多様なので、一実施例として収納部（１）（２）（３）を設ける一枚型とする。
（ロ）一実施例の収納部（１）（２）（３）を要する弁当箱用シート（４）が入る蓋（６）つきの外枠のランチボックス（５）と一体型とする。
（ハ）これを使用するときは、弁当箱用シート（４）を外枠のランチボックス（５）に入れ、弁当箱用シート（４）の一実施例収納部（１）（２）（３）にそれぞれのおかずを詰めて、蓋（６）をしてバックル（７）でロックをして完了する。
市販されている弁当箱の形状や深さは多種多様であるので、本実施例では収納部を（１）（２）（３）としたが、これを限定するものではない。
本発明は、以上のような構造である。
（二）使用後は、弁当箱用シート（４）のみ取り出して捨て、後は洗い易い蓋（６）だけを洗えば済むので、環境問題が注目される中、一人当たりや年間にすれば、手間と洗剤と水を大幅に節約する事が可能となる発明である。
【図面の簡単な説明】
【０００７】
【図１】  本発明の弁当箱用シートを示した斜視図である。
【図２】  本発明の弁当箱用シートを収納した状態を示した斜視図である。
【符号の説明】
【０００８】    １  収納部
２  収納部
３  収納部
４  弁当箱用シート
５  ランチボックス
６  蓋
７  バックル部
【図１】
2010259755.tif 000003
【図２】
2010259755.tif 000004
(57)【要約】【課題】  身体の一部へ簡単に接触させることができ、また一旦使用した後でも着脱を手間なく繰り返し行える携帯用加温具を提供する。【解決手段】  袋部は単数本または複数本のベルト部から成り、ベルト部は加温マット部の上面に縫合または接着されている。この袋部に手先や足先等の身体の一部を差し込むだけで加温マット部が身体の一部に接触し、加温マット部の暖かさを感じることができる。そのため、加温マット部を手で握り続ける必要がないので手が疲れず、また、加温マット部を体に継続的に接触させることを目的としてベルト、バンド、両面テープ、接着剤等を用いる必要がないため、一旦使用した後でも着脱を簡単かつ繰り返し行える。【選択図】図１
2010259751.tif 000002
【特許請求の範囲】
【請求項１】
加温マット部と、この加温マット部の上面に備えられた手や足等の身体の一部が差し込まれる袋部とで構成することを特徴とした携帯用加温具。
【請求項２】
前記袋部は、差し込まれた手や足等の身体の一部の先端が露呈するドーム型としたことを特徴とした請求項１記載の携帯用加温具。
【請求項３】
前記袋部は、単数本または複数本のベルト部にて形成し、前記加温マット部と縫合または接着されることを特徴とした請求項１〜請求項２のいずれか１記載の携帯用加温具。
【請求項４】
前記袋部には、紙、布あるいは柔軟性を有する合成ゴムが材質として用いられることを特徴とした請求項１〜請求項３のいずれか１記載の携帯用加温具。
【発明の詳細な説明】
【技術分野】
【０００１】  本発明は、携帯用として用いる袋部付携帯用加温具に関する。
【背景技術】
【０００２】  一般的な携帯用加温具の使用方法としては、携帯用加温具の加温マット部を手で持つ方法、加温マット部片面に両面テープやホットメルト型接着剤を使用して粘着機能を持たせ身体の一部に接着させる方法、ベルトやバンド等を用いて加温マット部を身体の一部に巻きつける方法が普通である。
【発明の開示】
【発明が解決しようとする課題】
【０００３】  しかしながら、上述した従来の携帯用加温具には次のような欠点があった。
携帯用加温具の暖かさを感じるためには、加温マット部を手で握り続けなければならず手の疲れの原因になった。また粘着機能を使って身体の一部に貼り付けたり、ベルトやバンド等を使って巻きつける方法では、一旦使用した後の着脱ができなかったり、できた場合にも手間を要するという欠点があった。
本発明は、このような欠点をなくすためになされたもので、簡単かつ繰り返し身体の一部へ接触させ、暖かさを感じることができる携帯用加温具を提供することを目的とする。
【課題を解決するための手段】
【０００４】  上記目的を達成するために、本発明は、単数本または複数本のベルト部を加温マット部の上面に縫合または接着させることで、手や足等の身体の一部が差し込まれる袋部を形成させるものである。前記袋部は差し込まれた手や足等の身体の一部の先端が露呈するドーム型を成している。また、前記ベルト部には、紙、布、あるいは柔軟性を有する合成ゴムが用いられるものとする。
【発明の効果】
【０００５】  本発明の袋部付携帯用加温具を使用すると、加温マット部の上面に縫合または接着されたベルト部により形成される袋部に手や足等の身体の一部を挿入するだけで、加温マット部が身体の一部に接触し、加温マット部の暖かさを感じることができるという効果がある。そのため、加温マット部を手で握り続ける必要がないので手が疲れず、また加温マット部を体に接触させることを目的としてベルト、バンド、両面テープ、接着剤等を用いる必要がないため、一旦使用した後でも着脱を簡単かつ繰り返し行える。
【発明を実施するための最良の形態】
【実施例】
【０００６】  本発明の実施形態について図面を参照して説明する。図１は、本発明に係る袋部付携帯用加温具の使用状態を示すもので、加温マット部２の上面に縫合または接着された単数本または複数本のベルト部３によって袋部１が形成される。さらに、袋部１は差し込まれた手や足等の身体の一部Ｈの先端が露呈するドーム型を形成している。また、ベルト部３は、紙、布あるいは柔軟性を有する合成ゴムが材質として用いられる。
図２は第１の実施形態を示すもので、輪状のベルト部３が加温マット部２の上面に縫合または接着されることにより、手や足等の身体の一部Ｈを差し込むことができるドーム型の袋部１が形成される。
図４は第２の実施形態を示すもので、半輪状のベルト部３の両先端部が、加温マット部２の上面に縫合または接着されドーム型の袋部１が形成される。
【図面の簡単な説明】
【０００７】
【図１】  本発明の使用状態を示す斜視図である
【図２】  本発明にかかる第１の実施形態を示す斜視図である
【図３】  本発明にかかる第１の実施形態を示す正面図である
【図４】  本発明にかかる第２の実施形態を示す正面図である
【符号の説明】１  袋部
２  加温マット部
３  ベルト部
Ｈ  手や足等の身体の一部
【図１】
2010259751.tif 000003
【図２】
2010259751.tif 000004
【図３】
2010259751.tif 000005
【図４】
2010259751.tif 000006
(57)【要約】【課題】  拭取りシートを広く使えるフローリングワイパーを提供する。【解決手段】ワイパーヘッド１の拭取りシート装着面３を複数設け、拭取りシートを広く使用出来ることを特徴とする。【選択図】図２
2010259758.tif 000002
【特許請求の範囲】
【請求項１】
柄を連結した複数の拭取りシート固定部を有するワイパーヘッドの拭取りシート装着面を複数設けたフローリングワイパー
【発明の詳細な説明】
【技術分野】
【０００１】  本発明は、ワイパーヘッドに拭取りシートを装着して床などを清掃する、フローリングワイパーに関するものである。
【背景技術】
【０００２】  従来のフローリングワイパーは拭取りシートの装着面が一面で拭取りシートの５５％程度しか使用していない。
【先行技術文献】
【０００３】
【特許文献１】  特開２００４−２２２７９４号公報  登録実用新案第３１３４１９３号
【非特許文献１】
【発明の概要】
【発明が解決しようとする課題】
【０００４】  従来のフローリングワイパーでは、拭取りシートの５５％程度しか使用していないので、拭取りシートの装着面を広くし無駄をなくそうとするものである。
【課題を解決するための手段】
【０００５】  ワイパーヘッド１の拭取りシート装着面３を複数面設け、拭取りシート５を広く使用出来るようにするものである。
【発明の効果】
【０００６】  拭取りシートを経済的に使用出来る。
【図面の簡単な説明】
【０００７】
【図１】  本発明の側面図である。
【図２】  本発明の拭取りシート装着面が二面の斜視図である。
【図３】  本発明のフローリングワイパーに拭取りシートを装着した斜視図である。
【図４】  本発明の拭取りシート装着面が三面の斜視図である。
【発明を実施するための形態】
【０００８】  以下、本発明の実施の形態について説明する。
（イ）ワイパーヘッド１に拭取りシート固定部２を複数設ける。
（ロ）ワイパーヘッド１に拭取りシート装着面３を複数設ける。
（ハ）ワイパーヘッド１に柄４を連結する。
【符号の説明】
【０００９】    １  ワイパーヘッド
２  拭取りシート固定部
３  拭取りシート装着面
４  柄
５  拭取りシート
【図１】
2010259758.tif 000003
【図２】
2010259758.tif 000004
【図３】
2010259758.tif 000005
【図４】
2010259758.tif 000006
(57)【要約】【課題】  本発明は掛け布団カバーであって、首もとや肩口と、掛け布団との間の隙間を防ぐ掛け布団カバーを提供する。【手段】  掛け布団カバー本体の下側にもう一つの布団カバーを設ける。この下段の布団カバーは、本体カバーの襟部側から足下方向へ一定の長さで設ける。下段の布団カバーは足下側の一辺のみ本体カバーに縫いつけ固定する。下段の布団カバーの開口部は本体カバーへ縫いつけた近くに設け、本体カバー側より出し入れ出来るように設ける。【選択図】図５
2010259760.tif 000002
【特許請求の範囲】
【請求項１】
掛け布団カバー本体の下側にもう一つの布団カバーを設ける。この下段の布団カバーは、本体カバーの襟部側から足下方向へ一定の長さで設ける。下段の布団カバーは足下側の一辺のみ本体カバーに縫いつけて設けられている掛け布団カバー。
【請求項２】
下段布団カバーの開口部は本体カバーと縫いつけた近くに設け、本体カバー側から出し入れできるように設けられた掛け布団カバー
【発明の詳細な説明】
【技術分野】
【０００１】本発明は掛け布団カバーであって、首もと、肩口と掛け布団との隙間を防ぐ布団カバーに関するものである。
【背景技術】
【０００２】寝ているときに掛布団から肩がよく出てしまい、冬の寒い時期には熟睡を妨げられていました。肩が出ることを防ぐため従来掛け布団や毛布とは別に首廻りが切り抜かれた掛け布団（首抜き布団）を用意し、掛け布団及と重ね併せて使っていました。
【発明の開示】
【発明が解決しようとする課題】
【０００３】首抜き布団と掛け布団及び毛布との併用は次のような問題点がありました。首抜き布団は上半身のみ掛かっているので寝返りを繰り返すと、ずれてしまい肩が出てしまうことが多かった。又冬季専用の布団として別に用意が必要であった。掛け布団と毛布の併用においては寝返りの繰り返すと掛け布団がずれて、ベッドでの使用では掛け布団が落ちてしまうことが多いという問題があった。
本発明は以上の問題点を解決し、首抜き布団を用意することなく、寝返りを繰り返しても肩に隙間が生じにくいようになされたものである。
【課題を解決するための手段】
【０００４】上記の目的を達成するため、本発明は掛け布団カバー本体の下側にもう一つの布団カバーを設ける。この下段の布団カバーは本体カバーの襟部側から足下方向へ一定の長さで設ける。下段の布団カバーは足下側の一辺のみ本体カバーに縫いつけ固定する。下段の布団カバーの開口部は本体カバーへ縫いつけた近くに設け、本体カバー側から出し入れできるように設ける。
本発明は、以上の構成よりなる掛け布団と首もと、肩口との隙間を防ぐ掛け布団カバーである。
【発明の効果】
【０００５】本発明を使用するとき、下段のカバーに毛布などをカバー寸法に折りたたんで入れ込み襟部分は２段に分かれた状態になります。薄めにする下段の襟部分は厚手の本体より先端部分で離れているので体に纏わりやすく、首もと、肩口に隙間ができにくい。また本体と結合しているのでずれることもない。２段使いにしないときは本体の掛け布団を布団カバーごと下段カバーに入れて通常の１段カバーとして使用できる。
【発明の実施すための最良の形態】
【０００６】以下、本発明の実施の形態を説明する。
（イ）かけ布団カバー本体（１）の下側にもう一つの下段布団カバー（２）を設ける。
（ロ）この下段布団カバー（２）は、本体カバーの襟部側より足下方向へ一定の長さで設ける。
（ハ）下段布団カバー（２）は足下側の１辺のみ下段カバーの本体カバーとの縫い合わせ部（４）を設ける。
（ニ）下段布団カバー（２）の開口部は本体カバー（１）との縫い合わせ部（４）の近くに設け本体カバー側から出し入れできるように設ける。
本発明は以上の構成よりなる。
本発明を使用する場合は、本体カバーにかけ布団を入れ、下段カバーには毛布か、又は薄手のかけ布団をいれて使用します。下段カバーを使わないときは下段カバーに本体かけ布団カバーに掛布布団が入った状態で入れ込み１段の掛け布団として使用します。
【図面の簡単な説明】
【０００７】
【図１】本発明の平面図
【図２】本発明の２段襟の部分が開いた状態の斜視図
【図３】本発明の掛け布団入れの側面図
【図４】本発明の中央縦断断面図
【図５】本発明の分解斜視図
【図６】本発明の掛け布団入れの状態で下段カバーに本体カバーを入れかけている途中の図
【符号の説明】
【０００８】１  本体カバー
２  下段カバー
３  下段カバーの重ね合わせ開口部
４  下段カバーの本体カバーとの縫い合わせ部
５  かけ布団
６  毛布
【図１】
2010259760.tif 000003
【図２】
2010259760.tif 000004
【図３】
2010259760.tif 000005
【図４】
2010259760.tif 000006
【図５】
2010259760.tif 000007
【図６】
2010259760.tif 000008
(57)【要約】      （修正有）【課題】時間と手間のかかる頭皮ケアのブラッシングの時間を短縮し、かつ効率的に行える、髪の毛の大部分を覆う頭皮ケアシャンプーハットを提供する。【解決手段】柔軟性を持ち髪の毛の大部分を覆う基台１に複数の突起物２を設けることで、額の髪の毛の生え際から後頭部までを基台１ですっぽりと覆い、そこに、頭皮を傷つけることなく、皮脂などの汚れをしっかり排除してくれる突起物２がまんべんなく設けられているため、両手で同時に広範囲にわたってブラッシング効果の高いマッサージが可能となる頭皮ケアシャンプーハット。【選択図】図１
2010259754.tif 000002
【特許請求の範囲】
【請求項１】
柔軟性を持つ基台に複数の突起物を設けた、頭皮ケアシャンプーハット。
【発明の詳細な説明】
【技術分野】
【０００１】この発明は、頭部の大部分を覆う形状の基台に複数の突起物を設けた頭皮ケアシャンプーハットに関するものである。
【背景技術】
【０００２】従来、頭皮ケア用のシャンプーブラシは概ね手のひらに収まるサイズであった。
【特許文献１】特許公開２００８−２９５９９２
【発明の開示】
【発明が解決しようとする課題】
【０００３】これは、次のような欠点があった。
従来、手のひらに収まるサイズのため頭皮全体をブラッシングするには時間がかかる。また、時間短縮のために１回のブラッシングのストロークを大きくすると、短髪以外の使用者の髪の毛はブラッシングによって抜けてしまう。また、ブラッシングをより効果的に行うためには、頭皮が適度に蒸れていることが望ましく、そのためにブラッシングをする前に蒸しタオルを頭に載せてしばらくしてから行うなど苦労が多かった。
本発明は以上のような欠点をなくするためになされたものである。
【課題を解決するための手段】
【０００４】柔軟性を持ち髪の毛の大部分を覆う基台（１）に複数の突起物（２）を設ける。
本発明は、以上の構成よりなる頭皮ケアシャンプーハットである。
【発明の効果】
【０００５】額の髪の毛の生え際から後頭部までをすっぽりと覆いそこに、頭皮を傷つけることなく、皮脂などの汚れをしっかり排除してくれる突起物がまんべんなく設けられているため、両手で同時に広範囲にわたってブラッシング効果の高いマッサージが可能となる。また、適度に頭部を叩くことで頭皮の血流を増すのに必要な刺激も容易に、心地よく与えることができる。また、洗髪前に頭皮ケアシャンプーハットをかぶりながら入浴などをすると特別な事をしなくても頭皮を適度に蒸れた状態にしておくことができる。また入浴時以外でも、室内で頭皮のマッサージ、タッピングを心地よく行うこともできる。
【発明を実施するための最良の形態】
【０００６】以下、本発明の実施の形態を説明する。
耐水性があり、柔軟性を持ち髪の毛の大部分を覆う基台（１）に複数の突起物（２）を設ける。
本発明は以上のような構造である。
これを使用する時は、頭皮ケアシャンプーハットを頭にかぶり、その上から髪全体をマッサージしたり軽く叩いたりすれば良い。
【図面の簡単な説明】
【０００７】
【図１】本発明の正面図である。
【図２】本発明の断面図である。
【符号の説明】
【０００８】１基台
２突起物
【図１】
2010259754.tif 000003
【図２】
2010259754.tif 000004
(57)【要約】      （修正有）【課題】持ち運びに不自由な「うちわ」を傷つけずに快適に運ぶことのできる、うちわ専用ケースの提供。【解決手段】ケース本体１に「うちわ」をいれ、ファスナー４を閉めて、ループ２、ループ３にショルダーベルトを装着して肩から掛けて持ち運ぶ。【選択図】図１
2010259753.tif 000002
【特許請求の範囲】
【請求項１】
「うちわ」の型に添った形で「うちわ」が収納し易く、且つ持ち易いケースであり、着脱可能なベルトを付ければ、ショルダーとして持ち運ぶことが出来ることを特徴とする応援用うちわ専用ケース。
【発明の詳細な説明】
【技術分野】
【０００１】本発明は応援などを主な目的に使われる「うちわ」を収納するケースに関するものである。
【背景技術】
【０００２】応援やイベントの参加時に使う「うちわ」を持参したり、収納する場合、紙袋や直接カバンに入れて持ち運んだり保存したりしていた。そのため、途中で壊れたり、変形したり、落として汚してしまうことがあった。
【発明の概要】
【発明が解決しようとする課題】
【０００３】コンサートやイベントなどで応援する場合、顔写真が入ったり、文字を貼付けた「手作りうちわ」をよく用いる。
持ち運びにくい型である上に、専用の入れ物も無いために女性（主に）のバッグに入りきらず不自由である。
また、「うちわ」の持ち手がはみ出て危険なことがあったり内容物が見えて、恥ずかしい思いをすることが多い。
保存時にも不安定な形なのでまとまりがなく収納しづらい。
本発明はこのような欠点、および不具合を解決しようとするものである。
【課題を解決するための手段】
【０００４】本発明は「うちわ」の形にあった型で、ファスナー式で開閉するので、収納し易く、アクセントデザインを兼ねたループにショルダーベルトを取り付けられるので、バッグの中に入れる際も「うちわ」が傷付く心配もなく持ち手も隠れ、安全且つ内容が見えて恥ずかしいこともない。
また、肩から掛ける事により両手が空き、活動し易くなる。
【発明の効果】
【０００５】上述のように本発明のうちわケースは、外出時に便利なだけでなく収納する時にも、コンパクトに吊るして置けるので従来、不安定な形で仕舞いにくかった「うちわ」をきれいに収納するのに役立つ。
【図面の簡単な説明】
【０００６】
【図１】全体図
【図２】ループ部分の拡大図
【発明を実施するための形態】
【０００７】ケース本体のファスナーを大きく開閉して「うちわ」を入れる。
【０００８】ループにショルダーベルトのフックを取り付けて肩から掛けて持ち運ぶ。
【０００９】ループをタンスなどの収納家具のフックに吊るして収納する。
【符号の説明】
【００１０】１：ケース本体
２：ループ−Ａ
３：ループ−Ｂ
４：ファスナー
５：中に入れる「うちわ」
【図１】
2010259753.tif 000003
【図２】
2010259753.tif 000004
(57)【要約】【課題】  インフルエンザウイルスをはじめ雑菌等を口腔からの侵入防止にマスクを用いるが、殺菌まで至らず、噴霧等の消毒は一時的な効果しかなく、継続的に殺菌可能な殺菌装置は大型かつ据え置き型が一般的により、継続的な電力供給が難しく、手軽に持ち運べなかった。【解決の手段】  耳掛け部本体１に光触媒部２を設ける。【選択図】図１
2010259752.tif 000002
【特許請求の範囲】
【請求項１】
耳掛け型の本体部先端に光触媒を設けたことを特徴とする耳掛け型光触媒殺菌装置。
【発明の詳細な説明】
【技術分野】
【０００１】  この発明は、光触媒を用いた耳掛け型の殺菌装置に関する。
【背景技術】
【０００２】  従来の殺菌装置は置き型が主流で手軽に持ち運べるタイプがなかった。
【発明の概要】
【発明が解決しようとする課題】
【０００３】  この発明は、軽量で耳に掛けるだけで手軽に持ち運びができ、先端に取り付けた安全性の高い酸化チタン等の光触媒の酸化還元反応効果により、口腔周りのウイルスや雑菌等の殺菌を行う事で口腔からの侵入軽減を提供することを課題とする。
【課題を解決するための手段】
【０００４】  以上の課題を解決するために、耳掛部本体の先端に光触媒を設けたことを特徴とする耳掛け型の殺菌装置である。
【発明の効果】
【０００５】  マスクではウイルスや雑菌の侵入を防ぐ事ができるが殺菌には至らず、本発明は、耳に掛けるだけで手軽に持ち運びができ、安全性の高い酸化チタン等の光触媒に日光や照明が照射されると、酸化チタン等の光触媒の酸化還元反応効果により、口腔周りのウイルスや雑菌等を殺菌することにより、口腔から体内への侵入を軽減する。
【図面の簡単な説明】
【図１】  この発明を示す側面図である。
【図２】  この発明の使用を示す側面図である。
【発明を実施するための形態】
【０００６】この発明の実施形態を、図１に示す。
本体１は樹脂製であり、本体１を耳に取り付けるときに不快のないように湾曲している。光触媒部２が先端に設けられている。
「他の実施形態」
左右どちらの耳でも取り付けが可能なタイプでもよい。
照射量の少ない所でも殺菌効果が低下しないように、耳掛け本体部に補光用の光源と太陽電池を設けてもよい。
光触媒部は、安全で酸化還元反応が高く、殺菌効果が期待できる物質であれば、酸化チタン以外でもよい。
湾曲部に耳にフィットしやすいよう形状の変化する弾力のある素材を用いてもよい。
【符号の説明】
【０００７】１  耳掛け部本体
２  光触媒部
３  湾曲部
【図１】
2010259752.tif 000003
【図２】
2010259752.tif 000004
(57)【要約】      （修正有）【課題】雨傘、日傘で片手運転しないように、両手で安全運転がたもてて、背もたれが設けてあるため収納した時背もたれとして利用ができる、伸縮折畳式背もたれ付傘装着機を提供する。【解決手段】自転車荷台１前部に固定金具２を設けて固定金具２に背もたれ付柱３を設けて、柱下部前方に、ストッパー及び調整ネジ４を設け、ストッパー及び調整ネジ４の間にスプリング付プレート５を設けた。背もたれ付柱３の柱に伸縮式の竿４段６を設け、伸縮式の竿４段６先端やや下に傘固定金具７を設け、傘固定金具７の上部に傘装着金具８を設け、伸縮式の竿４段の継目にずれ防止固定金具９を設けた。【選択図】図２
2010259761.tif 000002
【特許請求の範囲】
【請求項１】
▲１▼自転車の後部荷台
（１）前部に固定金具
（２）設け（２）に背もたれ付支柱
（３）を設け（３）下部前方にストッパー、調整ネジ
（４）を設け（４）の間にスプリング付プレート
（５）設け固定（３）に竿４段
（６）を設け（６）の先端やや下に傘固定金具
（７）を設け（７）の上部先端に傘装着金具
（８）設け（６）の継ぎ目に、固定金具
2010259761.tif 000003
【発明の詳細な説明】
【技術分野】
【０００１】      この発明は、自転車の後部荷台の前部分に取り付け伸縮式背もたれ付折畳み傘装着機に関するものである。
【背景技術】
【０００２】      従来は、雨傘、日傘を片手でもって片手でハンドルを握るため非常に危険だった。
【発明の開示】
【発明の解決しようとする課題】
【０００３】      これは次のような欠点があった。
従来の片手ハンドルだと、片手が使えないためブレーキが前・後どちらかしか利かない。ハンドルのブレも生じ非常に危険。本発明は、以上のような欠点をなくすためになされたものである。
【課題を解決するための手段】
【０００４】      自転車後部荷台（１）前部分に固定器具（２）設け背もたれ付柱（３）設け（３）柱下部前方にストッパー、調整ネジ（４）設け（４）の間にプレート（５）設ける。（３）の支柱に伸縮式の竿４段（６）を設け（６）の先端やや下に傘固定金具（７）を設け（７）の上部に傘装着金具（８）を設け（６）の継目にずれ防止、固定金具（９）を設け、（６）内部にスプリングピン（８）はカップリングを設けた。
以上の構成による。
伸縮式背もたれは折畳み傘装着機である。
【発明の効果】
【０００５】    背もたれと竿が一体になって、背もたれ後部に折畳めサドルも伸縮でき竿も伸縮が簡単に。
傘の取り付け、取り外しも手間がかからない。
両手はハンドルにいくため危険度は少なくなる。
背もたれが設けてあるため縮めたときに違和感がない。
【発明を実施する為の最良の形態】
【０００６】    以下、本発明を実施する為の最良の形態について説明する
自転車の後部荷台（１）前部分に鉄製の固定金具（２）を設ける。（２）に鉄パイプ製の背もたれ支柱（３）を設ける（３）の下部前方にストッパー、調整ネジ（４）設け（４）の間にスプリングプレート（５）設ける事によって前後に倒れないように自転車のサドルを上下する時は（４）ストッパーを外す事により本体も後ろに折畳める。
（３）の柱に鉄パイプの竿４段（６）設けて（６）の内部にスプリングピンを各段に設けて伸縮もスムーズに身長によって調整できる。（６）の先端やや下に傘固定金具（７）に傘の下にぎりの部分を入れ（７）の上部に円筒型の傘装着金具（８）に傘の柄を入れ、カップリングを回す。
雨の方向によって自在に向きが変えれる。
（６）の継目に万が一のずれ防止の為固定金具（９）を設けて固定する。
本発明は以上の構造である。
これを使用する時は雨傘、日傘の使用時に両手でハンドルを握れて安全運転。使用しない時は縮めて背もたれにして使用ができる。
【図面の簡単な説明】
【０００７】
【図２】  本発明の横図面である
【図１】  本発明の後図面である
【図３】  本発明の支柱の断面図である
【符号の説明】
【０００８】１  自転車の荷台
２  固定金具
３  背もたれ付柱
４  ストッパー及び調整ネジ
５  スプリング付プレート
６  竿
７  傘固定金具
８  傘装着金具
９  ずれ防止固定金具
【図１】
2010259761.tif 000004
【図２】
2010259761.tif 000005
【図３】
2010259761.tif 000006
(57)【要約】【課題】  紙の封筒などを使う袋分け家計簿は（１）耐久性に乏しい、（２）複数の封筒（財布）を持ち歩かなければならない、（３）ポイントカードの収納が困難である等の問題があった。その問題を解決し、袋分け家計簿の家計改善効果を高めた財布である。【解決手段】  紙幣を区分けするための仕切りは筒状にしてファスナーを取り付けたことで、小銭入れの機能を兼ね備えた。この仕切りを３つ以上設置するなどの工夫により、１つの財布で複数の袋を持ち歩くのと同等以上の家計改善効果が期待される。さらに着脱可能な両面カードシートを組み合わせたことで、ポイントカード等の収納力とカードの取り出しやすさが向上した。外形を開閉式の財布にしたことで、耐久性がアップした。【選択図】図２
2010259763.tif 000002
【特許請求の範囲】
【請求項１】
紙幣を収納できる財布に少なくとも３つ以上の仕切りを設け、各仕切りに小銭用ファスナーを装着することで仕切り兼小銭入れとした。また、着脱可能で表にも裏にもポイントカードなどを収納できるシート状の両面カードケースを設けた。
【発明の詳細な説明】
【技術分野】
【０００１】  この発明は、家計費を区分けして管理できる財布に関するものである。
【背景技術】
【０００２】  従来は銀行などに置いてある紙の封筒などを利用して、毎月の家計費のうち現金で支払う分を費目ごとに仕分けしていた。紙の袋を使って予算を振り分けることから、袋分け家計簿などと呼ばれている。
【発明の開示】
【発明が解決しようとする課題】
【０００３】  従来の紙の封筒などには以下の問題点があった。
（イ）    耐久性に乏しい
（ロ）    複数の封筒などを持ち歩かなければならない
（ハ）    カバンの中から必要な袋を取り出すときに見つけづらい
（ニ）    見た目が悪い
（ホ）    ポイントカードなどのカード類が取り出しにくい
本発明は、以上の欠点を解決するために発明したものである。
【課題を解決するための手段】
【０００４】  ファスナー（２）により開閉可能な財布本体（１）の内部に、紙幣を収納するための仕切り（３）を少なくとも３つ以上つくる。各仕切りには小銭用ファスナー（４）と透明の費目シート収納部（５）を設ける。また、財布内部に取り付けて使用する両面カードケース（１４）、透明ポケット（６及び６ａ）、メモ帳収納部（７）、小銭入れ（８）、医療費レシート収納部（９）、両面カードケース収納部（１０）、ペン収納部（１６）などを財布内部に設置する。
本発明は、以上の構成によりなる財布である。
【発明の効果】
【０００５】  紙幣の仕切りと小銭入れを合体させることにより、一般の財布と変わらない使用感・見た目で、袋分け家計簿と同等以上の効果を得られる。両面カードケースは１シートで１４枚以上のカードを収納でき、かつ２シートを財布内部に収めたとしても外形・使用感にほとんど変化を与えない。カード入れには段差が付いていて何のカードが入っているのかが一目瞭然であるため、収納力と取り出しやすさの両方を兼ね備えている。外周ファスナーを閉じると何の変哲もない財布であるが、家計のやりくりをサポートするさまざまな機能が組み入れられている。
【発明を実施するための最良の形態】
【０００６】  以下、本発明を実施するための最良の形態について説明する。
開閉部にファスナー（２）を取り付けた財布（１）である。
財布本体（１）の内部には３つ以上の仕切り（３）があり、各仕切りは筒状になっていて、かつ、小銭ファスナー（４）が装着されている。仕切りには「食費」「雑費」「医療費」「こづかい」「こども費」「その他生活費」などの費目を書いた紙を入れられる費目シート収納部（５）がある。あらかじめ予算を立てておいた費目を３つ以上に分けて管理でき、かつ、小銭と紙幣を分離して保管できるので、複数の財布を持ち歩いているのと同等以上の効果が期待できる。
財布内部には透明ポケット（６及び６ａ）もある。ここには予算シート（１か月、１週間、１日）や夢実現シート、在庫シート、割引クーポン券、診察券などが収納できる。透明ポケット大（６）は病院の診察券や割引クーポン券が楽に入る大きさである。その後部には小型のメモ帳（縦１１ｃｍ横６．２ｃｍ）が入るメモ帳収納部（７）がある。ボールペンなどの筆記具が同時収納できるようにペン収納部（１６）も設けた。透明ポケット小（６ａ）は免許証やキャッシュカードが入る大きさである。
ポイントカードなどのカード類の収納力を高めるために、両面カードケース（１４）と財布本体にカード入れ（１２）を設置。両面カードケース（１４）に関しては、財布本体（１）にカードケース留め（１１）を、両面カードケース（１４）にカードケース用スナップ（１５）を装着することで着脱可能になっている。また１シートにつき少なくとも片面７枚以上、合計で１４枚以上のカードが収納できる。カード入れ（１２）は財布本体（２）と両面カードケース（１４）についており、カード費目用透明ポケット（１３）によって、カード発行店の名前やクレジットカードの締切日・支払日などを記載できるようになっている。
また、本体外形と本体内部の間に空間を設けることで、医療費控除の申告時に役立つ医療費レシートの収納部（９）として使ったり、両面カードケースを収納する両面カードケース収納部（１０）として活用できる。
【図面の簡単な説明】
【０００７】
【図１】本発明の外形図である
【図２】本発明の立体図である
【図３】本発明の平面図である
【符号の説明】
【０００８】１財布本体
２ファスナー
３仕切り
４小銭用ファスナー
５費目シート収納部
６透明ポケット大
６ａ透明ポケット小
７メモ帳収納部
８小銭入れ
９医療費レシート収納部
１０両面カードケース収納部
１１カードケース留め
１２カード入れ
１３カード費目用透明ポケット
１４両面カードケース
１５カードケース用スナップ
１６ペン収納部
【図１】
2010259763.tif 000003
【図２】
2010259763.tif 000004
【図３】
2010259763.tif 000005
(57)【要約】【課題】  従来のカゴは車のシートに持ち手部分を挟んで固定できない。【解決手段】  従来のカゴの持ち手部分を長くすることにより車などのシートに挟んで固定するものとする。【選択図】図１
2010259764.tif 000002
【特許請求の範囲】
【請求項１】
カゴの持ち手部分を長くして、車などのシートに挟んで固定することにより、荷物が車の中で破損したり、散乱しないようにする物。
【発明の詳細な説明】
【技術分野】
【０００１】  本発明はカゴの持ち手部分を長くして、車などのシートに挟んで固定することにより、荷物が車の中で破損したり、散乱しないようにする物。
【背景技術】
【０００２】カゴの持ち手部分を長くして、車などのシートに挟んで固定する。
【発明が解決しようとする課題】
【０００３】  車に乗せた荷物が破損したり、散乱しないようにするものとする。
【課題を解決するための手段】
【０００４】  カゴの長くした持ち手部分を車のシートに挟むことにより、固定し、荷物を破損したり、散乱しないようにする。
【発明の効果】
【０００５】  車の中が散らからない。
【０００６】  荷物が破損しないようにする。
【実施例】
【０００７】  カゴの持ち手部分を長くして、車などのシートに挟んで固定することにより、荷物が車の中で破損したり、散乱しないようにする物。
【図面の簡単な説明】
【図１】  持ち手を長くしたカゴを車のシートに固定した図である。
【符号の説明】  ▲１▼  車のシート
▲２▼  カゴ
▲３▼  長くのばしてシートに挟んだ持ち手
【図１】
2010259764.tif 000003
(57)【要約】【課題】従来の布団では仰向けに寝ると臀部の出っ張りが邪魔をして体が地面と平行にならないため、体に負担が掛かる。【解決手段】布団の一部分に凹みを造り、そこに邪魔になる臀部の出っ張りを収納できるようにした。【選択図】図１
2010259762.tif 000002
【特許請求の範囲】
【請求項１】
臀部の出っ張りを収納できる布団
【発明の詳細な説明】
【技術分野】
【０００１】本発明は臀部の出っ張り部分を布団の中に収納することを図った布団である。
【発明が解決しようとする課題】
【０００２】本発明は布団に仰向けに寝た時に臀部の出っ張りが原因で生じる背骨への負担を解決するものである。
【課題を解決するための手段】
【０００３】仰向けに従来の布団に寝た時、臀部の出っ張りが邪魔をして、背骨が地面と平行にならない。
【０００４】従来の布団は真っ平らのため人間の体の構造が考慮されていない。
【０００５】本発明品は図１のＡの部分に凹みを造り、その凹みに図３のように人がＢの方向に頭を向けて寝ると、丁度凹みＡが臀部の位置となり、臀部の出っ張りを凹みＡに収納することができる。図４は凹みのない従来の布団に人が仰向けに寝たものだが、この場合は臀部の出っ張りが邪魔をして、体の骨が甲と乙の方向に傾き、地面と平行にならないため、体に負担が掛かり、寝つきが悪くなる。本発明は臀部の出っ張りを凹みに収納することにより、仰向けに寝た体が、地面と平行に保てるようにし、体への負担を軽減させ、寝つきをよくするものである。
【図面の簡単な説明】
【０００６】
【図１】本発明品を斜め上から見た外観図
【図２】本発明品を図１のＢとＣを結ぶ線で切断し、横か見た図
【図３】図２の上に人が仰向けに寝た所を横から見た図
【図４】従来の布団の上に人が仰向けに寝たところを横から見た図
【図１】
2010259762.tif 000003
【図２】
2010259762.tif 000004
【図３】
2010259762.tif 000005
【図４】
2010259762.tif 000006